(57)【要約】【課題】取付現場で屋根面の勾配に合わせて比較的簡単に装着することができると共に、風による振動やあおる力に強い換気棟を提供する。【解決手段】下部材１３と中部材１４と上部材１５とを備えた換気棟において、下部材１３と上部材１５とが、剛性のある連結部材３１で連結され、中部材１４は、下部材１３上に載置されると共に、移動が規制されるように連結部材３１に係合されている。【選択図】      図１
2004190400.tif 000002
【特許請求の範囲】
【請求項１】
下部材（１３）と中部材（１４）と上部材（１５）とを備えた換気棟において、
下部材（１３）と上部材（１５）とが、剛性のある連結部材（３１）で連結され、中部材（１４）は、下部材（１３）上に載置されると共に、移動が規制されるように連結部材（３１）に係合されていることを特徴とする換気棟。
【請求項２】
屋根（４）の棟部分に設けた屋根開口部（７）の上方に、棟を挟む一対の屋根面（４ａ，４ｂ）間に跨るように設けられる換気棟であって、下部材（１３）と、下部材（１３）との間で排気通路（１７）を形成する中部材（１４）と、中部材（１４）との間で外気の通風路（１８）を形成する上部材（１５）とを備え、各下部材（１３）と中部材（１４）と上部材（１５）とが、一対の屋根面（４ａ，４ｂ）の傾斜に対応する一対の傾斜部（１３ａ，１３ｂ，１４ａ，１４ｂ，１５ａ，１５ｂ）を有するようにへの字状に屈曲された換気棟において、
下部材（１３）と上部材（１５）との間の、棟を挟む両側に、剛性のある連結部材（３１）が設けられ、各連結部材（３１）の上部側に上部材（１５が固定され、連結部材（３１）の下部側に下部材（１３）が固定され、連結部材（３１）は、釘等の固定具（３８）により、屋根面（４ａ，４ｂ）に固定され、
中部材（１４）は、下部材（１３）上に載置されると共に、棟方向の移動が規制されるように連結部材（３１）に係合されていることを特徴とする換気棟。
【請求項３】
中部材（１４）の屋根流れ方向の両端部に、下方突出した一対の起立部（４１）が設けられ、起立部（４１）の下端部に屋根流れ方向に突出した設置部（４２）が設けられ、一対の設置部（４２）が、下部材（１３）上に載置され、設置部（４２）に、連結部材（３１）に外嵌する切欠凹部（４３）が設けられていることを特徴とする請求項１又は２に記載の換気棟。
【発明の詳細な説明】
【０００１】
【発明の属する技術分野】
本発明は、住宅等の屋根に設置される換気棟に関する。
【０００２】
【従来の技術】
住宅等の屋根に設置される換気棟には、図７に示すように、屋根６１の棟部分に設けた屋根開口部６２の上方に、棟を挟む一対の屋根面間に跨るように設けられ、下部材６３と、下部材６３との間で排気通路６４を形成する中部材６５と、中部材６５との間で外気の通風路６６を形成する上部材６７とを備え、各下部材６３と中部材６５と上部材６７とが、一対の屋根面の傾斜に対応する一対の傾斜部を有するようにへの字状に屈曲され、例えば、下部材６３の中央部に排気口６３ａが設けられ、中部材６５の両端部に排気口６５ａが設けられたものがある。
【０００３】
この種の従来の換気棟は、同図に示すように、下部材６３と中部材６５とをボルトナット等の連結具６９で予め連結しておいて、釘等の固定具７０で、下部材６３を屋根面に固定し、その後、上部材６７を連結板７１等を介してボルトナット、ビス等の締結具７３により中部材６５に連結固定するようにしていた（例えば、特許文献１）。
【０００４】
【特許文献１】
特開２００１−２５４４９２号公報
【０００５】
【発明が解決しようとする課題】
しかし、従来の換気棟では、上部材６７と中部材６５と下部材６３との３つの部材を、屋根下地と下部材６３、下部材６３と中部材６５、中部材６５と上部材６７を、それぞれ専用の連結具６９とビス等の締結具７３で止め付けており、各金具同士を直接連結しておらず、上中下の板金部材６７，６５，６３同士を順次連結している。従って、下部材６３と中部材６５との連結強度及び中部材６５と上部材６７との連結強度は、金具とビスとの連結強度ではなく、板金の引き裂き強度となり、風による振動やあおる力に弱くなった。
【０００６】
また、従来の換気棟では、下部材６３と中部材６５とをボルトナット等の連結具６９で予め連結しておいて、その後、釘等の固定具７０で、下部材６３を屋根面に固定しするようにしていたので、下部材６３及び中部材６５の屈曲角度を、取付現場で屋根面に合わせて調整することが困難になるという問題があった。
そこで、ボルトナット等の連結具６９を挿通する下部材６３又は中部材６５の取付孔を長孔に形成し、この長孔の範囲で、下部材６３及び中部材６５の屈曲角度を調整するようにしたものもあるが、この場合、長孔によって強度的に不利になった。また、長孔から内部に浸水するため、パッキン等の防水対策が必要になった。防水対策が必要になるので、長孔の大きさにも限界があり、屈曲角度の調整範囲も狭かった。
【０００７】
本発明は上記問題点に鑑み、取付現場で屋根面の勾配に合わせて比較的簡単に装着することができると共に、風による振動やあおる力に強い換気棟を提供することを目的とする。
【０００８】
【課題を解決するための手段】
この技術的課題を解決するための本発明の技術的手段は、下部材１３と中部材１４と上部材１５とを備えた換気棟において、
下部材１３と上部材１５とが、剛性のある連結部材３１で連結され、中部材１４は、下部材１３上に載置されると共に、移動が規制されるように連結部材３１に係合されている点にある。
また、本発明の他の技術的手段は、屋根４の棟部分に設けた屋根開口部７の上方に、棟を挟む一対の屋根面４ａ，４ｂ間に跨るように設けられる換気棟であって、下部材１３と、下部材１３との間で排気通路１７を形成する中部材１４と、中部材１４との間で外気の通風路１８を形成する上部材１５とを備え、各下部材１３と中部材１４と上部材１５とが、一対の屋根面４ａ，４ｂの傾斜に対応する一対の傾斜部１３ａ，１３ｂ，１４ａ，１４ｂ，１５ａ，１５ｂを有するようにへの字状に屈曲された換気棟において、
下部材１３と上部材１５との間の、棟を挟む両側に、剛性（硬質の）のある連結部材３１が設けられ、各連結部材３１の上部側に上部材１５が固定され、連結部材３１の下部側に下部材１３が固定され、連結部材３１は、釘等の固定具３８により、屋根面４ａ，４ｂに固定され、
中部材１４は、下部材１３上に載置されると共に、棟方向の移動が規制されるように連結部材３１に係合されている点にある。
【０００９】
また、本発明の他の技術的手段は、中部材１４の屋根流れ方向の両端部に、下方突出した一対の起立部４１が設けられ、起立部４１の下端部に屋根流れ方向に突出した設置部４２が設けられ、一対の設置部４２が、下部材１３上に載置され、設置部４２に、連結部材３１に外嵌する切欠凹部４３が設けられている点にある。
【００１０】
【発明の実施の形態】
以下、本発明を図示の実施の形態に従って説明する。
図１において、１は棟木、２は垂木、３は野地板で、棟木１と垂木２とで組み上げた屋根４の骨組上に張り付けられている。野地板３の上面に、アスファルトルーフィング等の防水シート５が敷かれ、その上にストレート瓦等の屋根材６が葺かれている。
屋根４の棟部分に、野地板３及び屋根材６等を切り欠いてなる屋根開口部７が設けられ、この屋根開口部７の上方に、棟を挟む一対の屋根面４ａ，４ｂ間に跨るように換気棟１１が設けられている。なお、８は屋根開口部７に対応して設けた水切り部材である。
【００１１】
図１〜図５に示すように、前記換気棟１１は、板金製の下部材１３と中部材１４と上部材１５とを備え、各下部材１３と中部材１４と上部材１５とが、一対の屋根面４ａ，４ｂの傾斜に対応する一対の傾斜部１３ａ，１３ｂ，１４ａ，１４ｂ，１５ａ，１５ｂを有するようにへの字状に屈曲されている。下部材１３は、防水材１６を介して屋根面４ａ，４ｂ上に配置され、中部材１４は下部材１３の上方に配置され、下部材１３と中部材１４との間で排気通路１７を形成している。上部材１５は中部材１４の上方に配置され、中部材１４と上部材１５との間で外気の通風路１８を形成している。
【００１２】
下部材１３は、一対の傾斜部１３ａ，１３ｂの屋根流れ方向の下側から下方に突出した一対の起立部２１と起立部２１の下端から屋根流れ方向の下側に向けて突出した一対の設置部２２とを有し、一対の設置部２２の中途部に上方に折り返してなる一対の取付部２３が設けられている。このように取付部２３を折り返して形成したことにより、下部材１３の表面側に施した塗装面が、常に外面（上面）側に位置するようになる。下部材１３の各起立部２１に、排気口２４が設けられている。下部材１３の設置部２２下面の取付部２３よりも中央側に防水材１６が貼り付けられ、設置部２２の取付部２３と防水材１６との間に排水孔２５が設けられている。
【００１３】
上部材１５は、一対の傾斜部１５ａ，１５ｂの屋根流れ方向の下側から下方に突出した一対の垂下部２７と垂下部２７の下端から屋根流れ方向の上側に向けて折曲した折曲縁部２８とを有している。
下部材１３と上部材１５との間の、棟を挟む両側に、剛性のある連結部材３１がそれぞれ設けられている。各連結部材３１はＺ字形の金具により構成され、上壁部３２と下壁部３３とこれらを連結する起立部３４とを有している。連結部材３１は、下壁部３３を介して下部材１３の設置部２２上に載置され、起立部３４の下部が下部材１３の取付部２３に棟側から接当され、ビス等の締結具３５により、連結部材３１の起立部３４と下部材１３の取付部２３とが締め付け固定され、これにより、連結部材３１の下部側に下部材１３が固定され、連結部材３１の上壁部３２に上部材１５の傾斜部１５ａ，１５ｂが載置され、ビス等の締結具３７により、連結部材３１の上壁部３２と上部材１５の傾斜部１５ａ，１５ｂとが締め付け固定され、これにより、各連結部材３１の上部側に上部材１５が固定されている。また、連結部材３１は、下部材１５と共に釘等の固定具３８により、屋根面４ａ，４ｂに固定されている。
【００１４】
中部材１４の屋根流れ方向の両端部に、傾斜部１４ａ，１４ｂから下方突出した一対の起立部４１が設けられ、起立部４１の下端部から屋根流れ方向の上側に突出した設置部４２が設けられている。中部材１４の設置部４２に、連結部材３１に外嵌する切欠凹部４３が設けられ、中部材１４の中央部に、傾斜部１４ａ，１４ｂに跨るように排気口４４が設けられている。中部材１４は、載置部４２を介して下部材１３の載置部４２上に載置されると共に、連結部材３１に切欠凹部４３が外嵌することによって、棟方向の移動が規制されるように連結部材３１に係合されている。
【００１５】
上記実施の形態によれば、換気棟１１を取り付ける場合、まず、下部材１３に一対の連結部材３１をビス等の締結具３５により固定しておき、この下部材１３を、防水材１６を介して屋根面４ａ，４ｂ上に載置し、釘等の固定具３８により、連結部材３１を下部材１３と共に屋根面４ａ，４ｂに固定する。この際、下部材１３の屈曲を容易に調整して、下部材１３の傾斜部１３ａ，１３ｂを屋根面４ａ，４ｂの傾斜に簡単に合わせることができる。
その後、中部材１４を、設置部４２を介して下部材１３の設置部２２上に載置し、切欠凹部４３を連結部材３１に嵌合して、中部材１４の棟方向の移動が規制されるように中部材１４を連結部材３１に係合する。この際にも、中部材１４の屈曲を容易に調整して、中部材１４の傾斜部１４ａ，１４ｂを屋根面４ａ，４ｂの傾斜に簡単に合わせることができる。
【００１６】
次に、上部材１５の各傾斜部１５ａ，１５ｂを、一対の連結部材３１の上壁部３２上に載置し、ビス等の締結具３７により、連結部材３１の上壁部３２と上部材１５の傾斜部１５ａ，１５ｂとを締め付け固定すればよい。
この場合、下部材１３は、釘等の固定具３８により、屋根面４ａ，４ｂに固定され、上部材１５は連結部材３１を介して屋根面４ａ，４ｂに固定されるので、下部材１３及び上部材１５は、連結部材３１の連結強度によって支持されることになり、風による振動やあおる力に強くなり、屋根面４ａ，４ｂに、上部材１５は強固に支持固定される。
【００１７】
また、中部材１４は下部材１３と上部材１５との間に配置されており、外部から強い風圧等を受けることもないし、また、一対の設置部４２の下部材１３上への設置によって安定に設置される。しかも、切欠凹部４３の連結部材３１への嵌合により、中部材１４の棟方向の移動が規制されるため、中部材１４が不測に移動したりするおそれもなく、安定に設置しておくことができる。
そして、下部材１３の設置部２２上に侵入した雨水等が、屋根材６の下方に侵入するのを防水材１６により防ぐと共に、排水孔２５によって、屋根材６（屋根面４ａ，４ｂ）上にスムーズに排水できる。下部材１３の設置部２２下方から排水孔２５に吹き吹き込む風や外側方から下部材１３内方に向けて吹き込む風を、中部材１４の起立部４２によって効果的に防ぐことができる。また、連結部材３１の上壁部３３が起立部３４上端から外側方に突出しているので、上壁部３３に締結具３５を取り付けるためのビス孔（取付孔）から上壁部３３の下方に雨水等が流れ落ちても、中部材１４及び下部材１３の内方（中央）側に侵入することがなくなり、より確実に防水をなし得る。
【００１８】
換気棟１１の取付け後には、下部材１３と中部材１４との間に排気通路１７が形成され、上部材１５と中部材１４との間に通風路１８が形成され、屋根開口部７から排出された排気は、図１に実線の矢印ａで示す如く、下部材１３の排気口２４を通って、下部材１３と中部材１４との間の排気通路１７に入り、排気通路１７を通って、中部材１４の排気口４４から中部材１４と上部材１５との間の通風路１８に入り、上部材１５の折曲縁部２８下方から外部に排気される。
また、外部からの空気は、図１に点線の矢印ｂで示す如く、上部材１５の一方の折曲縁部２８下方から上部材１５と中部材１４との間の通風路１８を通って上部材１５の他方の折曲縁部２８下方から外部に排出される。
【００１９】
図６は他の実施の形態を示し、下部材１３の設置部２２の取付部２３の屋根流れ方向の下側を、下部材本体Ａとは別部材Ｂで構成し、別部材Ｂの折返部４５を下部材本体Ａの取付部２３に嵌合して連結し、この取付部２３及び折返部４５をビス等の締結具３５で連結部材３１に共締めするようにしたものである。また、上部材１５の折曲縁部２８を、棟側に向けて前下がりに傾斜させており、これにより、上部材１５と中部材１４との間に外気が流入するのを抑制するようにしている。その他の点は前記実施の形態の場合と同様の構成である。
【００２０】
【発明の効果】
本発明によれば、換気棟を、取付現場で屋根面の勾配に合わせて比較的簡単でかつ確実に取付ることができる。また、取付後には、換気棟は、風による振動やあおる力に強いものとなる。
【図面の簡単な説明】
【図１】本発明の一実施の形態を示す換気棟の概略断面図である。
【図２】同換気棟の分解斜視図である。
【図３】同下部材及び中部材を上側から見た斜視図である。
【図４】同換気棟の一端部側の断面図である。
【図５】同図４のＡ−Ａ線断面図である。
【図６】他の実施形態を示す換気棟の一端部側の断面図である。
【図７】従来の換気棟を示す概略断面図である。
【符号の説明】
４      屋根
４ａ    屋根面
４ｂ    屋根面
７      屋根開口部
１１    換気棟
１３    下部材
１３ａ  傾斜部
１３ｂ  傾斜部
１４    中部材
１４ａ  傾斜部
１４ｂ  傾斜部
１５    上部材
１５ａ  傾斜部
１５ｂ  傾斜部
１７    排気通路
１８    通風路
３１    連結部材
３８    釘等の固定具
４３    切欠凹部
【図１】
2004190400.tif 000003
【図２】
2004190400.tif 000004
【図３】
2004190400.tif 000005
【図４】
2004190400.tif 000006
【図５】
2004190400.tif 000007
【図６】
2004190400.tif 000008
【図７】
2004190400.tif 000009